(57)【特許請求の範囲】
【請求項１】
水、保湿剤、フタレイン系指示薬、プロピレングリコールモノアルキルエーテル、ｐＨ調整剤を含有してなる消色性水性インキ。
【発明の詳細な説明】
【０００１】
【発明の属する技術分野】
本発明は、マーキングペンやボールペンなどで筆記した筆跡が時間の経過と共に消色する筆記具用の水性インキに関するものである。
【０００２】
【従来の技術】
従来より、水素イオン濃度の状態によって発色・消色を繰り返す酸塩基指示薬としてフタレイン系指示薬が知られており、この性質を利用して、筆記した筆跡が時間の経過と共に消色する水性インキが知られている。
このような消色性インキとしては、特開昭５３−１４５７３６号、特開昭５４−１３１４２８号、特開昭５４−１５４６３１号、特開昭５７−１４５１６９号、等が公知となっている。
【０００３】
【発明が解決しようとする課題】
しかしながら、フタレイン系指示薬は水や溶剤に難溶であるので、従来の発明は、時間の経過と共にフタレイン系指示薬が析出したりして、インキの安定性に問題があった。
そこで、本発明は経時的に安定度の高い消色性水性インキを提供するものである。
【０００４】
【課題を解決するための手段】
水、保湿剤、フタレイン系指示薬、プロピレングリコールモノアルキルエーテル、ｐＨ調整剤を含有してなる消色性水性インキ。
【０００５】
以下、本発明を詳細に説明する。
本発明の消色性水性インキは、水、保湿剤、フタレイン系指示薬、プロピレングリコールモノアルキルエーテル、ｐＨ調整剤をを少なくとも必須構成要素とする。
【０００６】
水は、水道水でもよいが蒸留水が最も好ましい。また、水はインキ全量に対して１０〜８０重量％程度、好ましくはインキ全量に対して３０〜５０重量％程度が用いられる。
【０００７】
保湿剤は、グリセリン、エチレングリコール、ジエチレングリコール、プロピレングリコール、ジプロピレングリコール、ジエタノールアミン、トリエタノールアミン、メチルセロソルブ、エチルセロソルブ等が用いられる。
また、保湿剤はインキ全量に対して１０〜９０重量％程度、好ましくはインキ全量に対して３０〜７０重量％程度が用いられる。
【０００８】
フタレイン系指示薬は、α−ナフトールフタレイン、ｐ−クレゾールフタレイン、ｏ−クレゾールフタレイン、ｍ−クレゾールフタレイン、フェノールフタレイン、チモールフタレイン、キシレノールフタレイン、ジブロモフェノールテトラブロモフェニルスルホンフタレイン、ニトロフェノールスルホンフタレイン等が用いられる。これらのフタレイン系指示薬は、ｐＨが塩基性側で発色し、酸性側で消色するものである。
また、フタレイン系指示薬はインキ全量に対して０．１〜２０重量％程度、好ましくはインキ全量に対して０．５〜１０重量％程度が用いられる。
【０００９】
プロピレングリコールモノアルキルエーテルは、１，２−プロピレングリコールモノメチルエーテル、１，２−プロピレングリコールモノエチルエーテル、１，２−プロピレングリコールモノプロピレンエーテル、１，３−プロピレングリコールモノメチルエーテル、１，３−プロピレングリコールモノエチルエーテル、１，３−プロピレングリコールモノプロピレンエーテル等が用いられる。当該プロピレングリコールモノアルキルエーテルは、前記フタレイン系指示薬の溶解助剤として機能し、前記水や保湿剤に対しての溶解性を飛躍的に高めることができる。
また、フタレイン系指示薬はインキ全量に対して０．１〜２０重量％程度、好ましくはインキ全量に対して０．５〜１０重量％程度が用いられる。
【００１０】
ｐＨ調整剤は、炭酸ナトリウム、炭酸カリウム、ジエタノールアミン、トリエタノールアミン、アンモニア水等が用いられる。低級アルカノールアミンは酸性ガスの吸収剤としても作用し、また、アンモニア水はアンモニアガスを発生して酸性ガスを中和する作用もある。
前記ｐＨ調整剤はインキ全量に対して０．１〜４０重量％程度、好ましくはインキ全量に対して０．５〜３０重量％程度が用いられる。
【００１１】
本発明には必要に応じて、１，２−ベンズイソチアゾリン−３−オン、１，２−ベンズイソチアゾリン−３−オンナトリウム塩、１，２−ベンズイソチアゾリン−３−オンアルキルアミン、２−メトキシカルボニルアミノベンズイミダゾール−４‘−Ｎ−ドデシルベンゾールスルフォン酸塩といった防腐剤防かび剤や、紫外線吸収剤、染料や顔料といった補色剤等の添加剤を適量配合していてもよい。
【００１２】
上記の要素を混合すると本発明の水性インキが得られる。当該水性インキは、ｐＨ９〜１２程度が好ましい。
【００１３】
次に、本発明の使用方法について説明する。
本発明の消色性インキは、アルカリ性に保たれているので、フタレイン指示薬が発色した状態になっている。これを吸収体式マーキングペンや生インキ直液式ボールペンに詰め、上質紙やダンボールに筆記する。一定期間放置しておくと、配合されたアルカリ性の成分が揮発して失われたり、ｐＨが低下して中性に近づくことにより色素の化学構造が変化してついには消色する。
【００１４】
【実施例】
以下、本発明を実施例により説明するが、本発明はこれらの実施例に限定されるものではない。
（実験例１）
水                                                ５５．０重量％
グリセリン                                        ３０．０重量％
ｏ−クレゾールフタレイン                            ２．０重量％
１，２−プロピレングリコールモノメチルエーテル    １０．０重量％
炭酸ナトリウム                                      ２．０重量％
１，２−ベンズイソチアゾリン−３−オン              １．０重量％
上記物質を撹拌して消色性インキ組成物を作成した。このインキの色は鮮明でやや赤味の紫色を呈したが、これをマーキングペン用のポリエステル繊維からなるインキ吸収体に含浸させ、マーキングペン本体に内蔵した。
当該マーキングペンは、６ヶ月間暗所に保管してあっても、ｏ−クレゾールフタレインが析出することはなかった。
【００１５】
（実験例２）
水                                                ５２．０重量％
グリセリン                                        ３０．０重量％
ｏ−クレゾールフタレイン                            ２．０重量％
１，３−プロピレングリコールモノメチルエーテル    １０．０重量％
トリエタノールアミン                                ５．０重量％
１，２−ベンズイソチアゾリン−３−オンナトリウム塩  １．０重量％
上記物質を撹拌して消色性インキ組成物を作成した。このインキの色は鮮明でやや赤味の紫色を呈したが、これをインキ調節体を有する直液式ボールペンに内蔵させた。
当該ボールペンは、６ヶ月間暗所に保管してあっても、ｏ−クレゾールフタレインが析出することはなかった。
【００１６】
【発明の効果】
以上の通り本発明は、フタレイン系指示薬の溶解性を高めることができ、これにより消色性インキの安定化を高めることができた。よって、紙や布、ダンボールなどに筆記した場合でもその筆跡を一定時間実用的な濃度で残すことができ、長期間保管しておいてもフタレイン系指示薬が析出することがない筆記具を得ることができる。